(57)【要約】【課題】テンションスプリング固定後は直ちに開閉体を稼働でき、また取付時の長さ、位置調整が簡単に行え、さらには交換も容易に行えるようにした。【解決手段】開閉体４の昇降動作により伸縮してテンションを発生し、開閉体４の重量負荷を軽減するためのテンションスプリング２８の床側端部取付構造において、床面側に固定されるリップ溝形の受け具１６と、前記テンションスプリング２８の床側端部に、直接的又は間接的に連結固定されたコマ３４とを具備し、コマ３４を受け具１６に摺動自在に挿通させて係止させている。【選択図】      図２
2005171718.tif 000002
【特許請求の範囲】
【請求項１】
開閉体の昇降動作により伸縮してテンションを発生し、開閉体の重量負荷を軽減するためのテンションスプリングの床側端部取付構造において、
床面側に固定されるリップ溝形の受け具と、前記テンションスプリングの床側端部に連結固定されたコマとを具備し、コマが受け具に摺動自在に挿通されて係止されていることを特徴とする開閉体におけるスプリングの取付構造。
【請求項２】
前記受け具は、前記床面側に固定されるベースプレート上に予め固定されていることを特徴とする請求項１に記載の開閉体におけるスプリングの取付構造。
【請求項３】
前記テンションスプリングの端部には、下端に前記コマが固定されたボルト部が突設されているとともに、前記受け具の上側には、ボルト部に挿通された孔明き座金と該座金の上部においてボルト部に螺合された連結用ナットが設けられていることを特徴とする請求項１又は２に記載の開閉体におけるスプリングの取付構造。
【請求項４】
前記コマと前記受け具の内底面との間には、スペーサーが配設されていることを特徴とする請求項１乃至３のいずれか１項に記載の開閉体におけるスプリングの取付構造。
【請求項５】
前記座金の両側部に、前記受け具の両側に係合する一対の側壁を立ち下げ状態に形成したことを特徴とする請求項３又は４に記載の開閉体におけるスプリングの取付構造。
【請求項６】
前記座金の両側部に、前記受け金具の両側に係合する一対の側壁を立ち下げ状態に形成するとともに、座金の前後部に前記受け具の溝内に嵌合する補助側壁を立ち下げ状態に形成したことを特徴とする請求項３又は４に記載の開閉体におけるスプリングの取付構造。
【発明の詳細な説明】
【技術分野】
【０００１】
本発明は、スプリングにより開閉体重量との釣り合いをとれるようにして、スムーズな開閉動作を行わせるようにしたパネルシャッター等の開閉体におけるスプリングの取付構造に関する。
【背景技術】
【０００２】
本発明の基礎となる従来技術として下記特許文献が掲げられる。この技術は、図１に示すように、巻取軸１の両側に設けた一対の巻き上げプーリ２に、チェーン状に多数連鎖した連結部材３の上端を巻取巻きほどき可能に連結し、かつ左右の連結部材３間に図示しないスラットパネルなどの間仕切り片を配置して開閉体４としたものである。
巻取軸１には、巻き付けドラム５が同軸配置され、このドラム５に一端を連結したベルト等の連結長体６の他端側を複数のガイドプーリ７を経由して床側に一端連結したテンションスプリング８の上端に結合している。
【０００３】
この構造において、開閉体４が巻き上げられているときにはベルト６がドラム５より巻き解かれているようにセットされ、開閉体４の解放状態ではスプリング８の張力は減少し、また開閉体４が巻きほどかれているとき、すなわち開閉体４が閉じられている状態では、スプリング８は最大限伸びて張力が最大となり、この状態からの開閉体４の解放時における重量負荷を減少させる。このように、開閉体４の昇降に基づく重力変化と、スプリング８によるテンション変化とがバランスしている。
【特許文献１】特表２００３−５２７５１３号公報
【発明の開示】
【発明が解決しようとする課題】
【０００４】
以上の構成において、テンションスプリング８の端部の床面に対する固定構造は、床スラブにアンカー固定している。
しかし、このような固定構造では、スプリング８の固定後に所定の養生期間が必要であり、据え付け後に速やかに稼働することができない。また、一旦固定した後は長さ調整や取付位置調整ができない。またこの種のスプリングは繰り返し負荷が加わることによる疲労荷重により破断する恐れがあるが、その交換工事も面倒となる。
【０００５】
本発明は、以上の課題を解決するものであり、その目的は、テンションスプリング固定後は直ちに開閉体を稼働でき、また取付時の長さ、位置調整が簡単に行え、さらには交換も容易に行える開閉体におけるスプリングの取付構造を提供するものである。
【課題を解決するための手段】
【０００６】
前記目的を達成するため、本発明は、図の実施の形態にも示すように、開閉体４の昇降動作により伸縮してテンションを発生し、開閉体４の重量負荷を軽減するためのテンションスプリング２８の床側端部取付構造において、床面側に固定されるリップ溝形の受け具１６と、前記テンションスプリング２８の床側端部に、直接的又は間接的に連結固定されたコマ３４とを具備し、コマ３４が受け具１６に摺動自在に挿通されて係止されていることを特徴としている。開閉体４は、例えば、比較的広幅のパネル形であってもスラット形などであっても良く、上記従来技術と同様の巻取り式や送り込み式であっても良い。
【０００７】
上記受け具１６は、上記床面側に固定されるベースプレート１２上に予め溶着や溶接、接着などにより固定されていることが望ましい。
【０００８】
上記の構成により、コンクリート床面側に、比較的広幅の受け具１６若しくはベースプレート１２を予め固定し、その受け具１６の溝内に側方よりコマ３４を挿通することにより、テンションスプリング２８の下端を床面側に係止固定させる。従って、テンションスプリング２８下端の床面側への取付が容易であり、また、必要があれば、コマ３４を受け具１６から抜き出させることにより、テンションスプリング２８の下端を床面側から容易に取り外して交換や調整をすることが出来る。
【０００９】
また、本発明では、上記テンションスプリング２８の端部には、下端に前記コマ３４が固定されたボルト部３６が突設されているとともに、前記受け具１６の上側には、ボルト部３６に挿通された孔明き座金３８と該座金３８の上部においてボルト部３６に螺合された連結用ナット４０が設けられていることを特徴とする。
【００１０】
このような構成において、連結用ナット３２を螺回操作することにより、座金３８とコマ３４によって受け具１６の上片を挟持し、コマ３４を受け具１６に固定させることが出来る。
【００１１】
上記の構成において、テンションスプリング２８が、例えば破断した場合、その衝撃で、座金３８が受け具１６の溝内に食い込み、変形することにより、テンションスプリング２８の除去あるいは取り替え作業が困難となるおそれがある。
【００１２】
しかしながら、上記コマ３４と上記受け具１６の内底面との間に、スペーサー３５を挿入配設させることにより、上記のおそれが解消される。
【００１３】
また、座金として、図４及び図５に示されるような座金５０を用い、該座金５０の両側部に、前記受け具１６の両側に係合する一対の側壁５０ａ，５０ａを立ち下げ状態に形成させることができる。これにより上記のおそれが解消される。
【００１４】
また、座金として、図６及び図７に示されるような座金６０を用い、該座金６０の両側部に、前記受け具１６の両側に係合する一対の側壁６０ａ，６０ａを立ち下げ状態に形成するとともに、座金６０の前後部に前記受け具１６の溝１６ａ内に摺動自在に嵌合する補助側壁６０ｂ，６０ｂを立ち下げ状態に形成させることができる。これにより上記の不具合が解消される。
【発明の効果】
【００１５】
従って、本発明によれば、テンションスプリングの床面側への取り付け固定が容易で効率的である。
【００１６】
また、テンションスプリングの取り替えや長さ、位置調整も容易に行うことができる。さらに、スプリングの交換作業も容易となる。
【発明を実施するための最良の形態】
【００１７】
（第１の実施形態）
図２，３は本発明の第１の実施形態を示す。なお、開閉体全体の概略構造は、既に説明した図１と同様または類似構造であるため、その説明は省略し、要部のみについて説明を行う。
図２（ａ），（ｂ）はスプリング取付金具の斜視図及びこれとスプリングとの取付関係を示す分解斜視図、図３は同取付状態を示す拡大正面図である、
【００１８】
まず図２（ａ），（ｂ）において、取付金具１０は所定厚みの金属板からなり、その周囲の交叉する２辺に取付用の一対のサイドフレーム１４を立ち上げ形成したベースプレート１２と、ベースプレート１２の盤面上にあって前記サイドフレーム１４で囲われた位置にリベット、溶接などにより固定されたリップ溝形の金属押出し成形体からなるバネ受け具１６、及びベースプレート１２の盤面上の適宜位置に同じくリベット、溶接などにより固定された他の部材取付用のアングル材よりなる補助具１８とを備えている。上記受け具１６は、開放部を上向きとしたコ形本体の開放縁を対向方向に折り曲げて上片とし、両上片間にスリット状の溝１６ａが形成されている。
【００１９】
ベースプレート１２の盤面には、床面に突出するアンカーボルト２０の取付孔１２ａ及び同取付用長孔１２ｂが開口され、図２（ｂ）に示すように、ボルト２０の突出端にナット２２を螺合することで床面上に強固にアンカー固定している。またサイドフレーム１４には複数のリベット孔１４ａが開口され、それぞれの位置に配置された鉛直ガイドフレームなどの相手部材２４にリベット２６を介して連結される。
なお、以上の取付金具１０はテンションスプリング２８の配置に応じて左右対称のものが用意される。
【００２０】
テンションスプリング２８は、前述のごとく開閉体の巻取プーリの回転動作に連繋して伸縮するものであって、その取付金具１０側の取付端にはこれの内周に螺合されて強固に連結されるネジブロック状の端部金具３０が設けられている。端部金具３０にはこれの軸方向を貫通する挿通孔が形成され、その両端面には調整用ナット３２、３２が配置されている。
【００２１】
他方、前記バネ受け具１６側には、その溝１６ａ内に摺動可能に挿通されるアンカー体となるコマ３４が配置され、このコマ３４の上部中心に突設されたボルト部３６を孔明き座金３８及び連結用ナット４０を介して上記調整用ナット３２に螺合することにより、図３に示すように、スプリング２８の端部を強固に固定することができる。
スプリング２８のバネ圧を微調整する際は、調整用ナット３２の回転調整によりボルト部３６を出し入れすることによって行うことができる。
またスプリング２８の水平位置の調整はコマ３４をバネ受け具１６の溝１６ａに沿って移動調整すればよい。
その後連結用ナット４０を締め上げることによって、座金３８及びコマ３４はバネ受け具１６の上片を狭持状態に固定させる。
【００２２】
この固定状態において、図３に示されるように、受け具１６の内底面とコマ３４の間には、金属によるスペーサ３５を挿入しておく。なお、スペーサ３５は、受け具１６の内底面とコマ３４の下面（底面）との離間距離と略同等の厚さを有するものが好ましい。
【００２３】
なお、図では端部金具３０の軸方向中心一箇所をボルト部３２及び一対の調整用ナット３２で連結した場合を示したが、軸方向２箇所で同構造により連結することもできる。またスプリング２８がのびきった状態で破断した場合には座金３８に直接その衝撃荷重が加わり、変形するおそれがあるため、耐衝撃性のために、上記スペーサ３５を挿入し、可及的にワッシャ３８の厚みを厚くしておくことが望ましい。
【００２４】
（第２の実施形態）
次に図４、図５は本発明の第２の実施形態を示すものであって、第１実施形態における皿座金３８に替えて、両側部立ち下がる一対の側壁５０ａを形成した矩形状の平座金５０とし、両側壁５０ａを前記バネ受け具１６の外側に係合させたものを用いる。座金５０の両側壁５０ａと受け具１６の両側との係合は、ある程度のクリアランスをもって係合するものでも良い。また、座金５０の両側壁５０ａは、ベースプレート１２の上面まで達する長さを有して立ち下げ状態に形成することが好ましい。その他の構成は、前記第１実施形態と同様である。
本実施形態においては、連結用ナット４０の締め付け時の連れ回りがなく、またスプリング破断時の衝撃を両側壁５０ａで受けるため、衝撃荷重による変形も防止できる。
【００２５】
（第３の実施形態）
さらに図６，図７は本発明の第３の実施形態を示すものであって、第１実施形態における皿座金３８に替えて、両側部に立ち下がり、前記バネ受け具１６の外側に係合する一対の側壁６０ａを形成するとともに、前後にバネ受け具１６の溝１６ａ内に摺動自在に挿通される一対の補助側壁６０ｂを設けた平座金６０を用いるほかは前記第２実施形態と同様である。なお、第３の実施形態において、座金６０の前後部の補助側壁６０ｂが受け具１６の内底面まで達する長さを略有して立ち下げ状態に形成した場合は、座金６０の両側部の側壁６０ａは、ベースプレート１２の上面まで達する長さを有さない状態に形成したものであっても良い。
本実施形態では第２実施形態と同様の効果のほか、衝撃荷重が加わった場合には補助側壁でもこれを受け止めるため、さらに耐衝撃性が増すものとなる。
【図面の簡単な説明】
【００２６】
【図１】本発明が適用される開閉体構造の概略を示す側面説明図である。
【図２】（ａ）は取付金具単体を示す斜視図、（ｂ）は同取付金具とスプリングとの取付構造を示す分解斜視図である。
【図３】同取付状態を示す部分拡大正面図である。
【図４】本発明の第２実施形態を示す分解斜視図である。
【図５】同取付状態を示す部分拡大正面図である。
【図６】本発明の第３実施形態を示す分解斜視図である。
【図７】同取付状態を示す部分拡大正面図である。
【符号の説明】
【００２７】
１０  取付金具
１２  ベースプレート
１６  受け具
２０  アンカーボルト、２２  ナット
８、２８  テンションスプリング
３０  端部金具
３２  調整用ナット
３４  コマ
３５  スペーサ
３６  ボルト部
３８，５０，６０  座金
４０  連結用ナット
５０ａ，６０ａ  側壁
６０ｂ  補助側壁
【図１】
2005171718.tif 000003
【図２】
2005171718.tif 000004
【図３】
2005171718.tif 000005
【図４】
2005171718.tif 000006
【図５】
2005171718.tif 000007
【図６】
2005171718.tif 000008
【図７】
2005171718.tif 000009